(57)【要約】      （修正有）【課題】被看護人からの呼出しを報知する廊下灯を施設内に設置する際の自由度を高め、その自由度に対応させた仕様でイラスト、映像等の被看護人保護情報を表示部に表示することで当該表示部の有効利用を図るとともに、被看護人保護情報の変更も容易とするナースコールシステムを提供する。【解決手段】被看護人及び医療・看護従事者のうち何れかにより用意され、その変更も容易とされる、部屋数又は病床数に対応したイラスト、映像等の被看護人保護情報を情報生成部４０で生成し、この被看護人保護情報を情報記憶部５０に記憶する。廊下灯２は、複数の部屋により共用される又は部屋毎に設置され、情報記憶部に記憶された被看護人保護情報を部屋単位又は病床単位で廊下灯表示部２０に分割表示する。【選択図】図１
2014124304.tif 000002
【特許請求の範囲】
【請求項１】
被看護人が医療・看護従事者を呼出して通話を成立させるナースコール子機と、前記ナースコール子機を用いた前記被看護人からの呼出しを報知する廊下灯と、前記ナースコール子機を用いた前記被看護人からの呼出しに医療・看護従事者が応答して通話を成立させるナースコール親機と、前記廊下灯及び前記ナースコール親機を制御する制御機とを有するナースコールシステムであって、
部屋数に対応したイラスト、映像等の被看護人保護情報を生成する情報生成部と、前記情報生成部で生成された前記被看護人保護情報を記憶する情報記憶部とを備え、
前記廊下灯は、複数の部屋により共用され、前記情報記憶部に記憶された前記被看護人保護情報を部屋単位で分割表示する廊下灯表示部を備えることを特徴とするナースコールシステム。
【請求項２】
前記廊下灯は、前記ナースコール子機を用いた前記被看護人からの呼出しを検出した呼出時において呼出元の当該ナースコール子機が設置された部屋に対応する前記廊下灯表示部には予め定められた呼出報知画面を表示させ、呼出元以外の当該ナースコール子機が設置された部屋に対応する前記廊下灯表示部には前記被看護人保護情報を表示させる廊下灯ＣＰＵを備えることを特徴とする請求項１記載のナースコールシステム。
【請求項３】
被看護人が医療・看護従事者を呼出して通話を成立させるナースコール子機と、前記ナースコール子機を用いた前記被看護人からの呼出しを報知する廊下灯と、前記ナースコール子機を用いた前記被看護人からの呼出しに医療・看護従事者が応答して通話を成立させるナースコール親機と、前記廊下灯及び前記ナースコール親機を制御する制御機とを有するナースコールシステムであって、
複数の部屋の病床数に対応したイラスト、映像等の被看護人保護情報を生成する情報生成部と、前記情報生成部で生成された前記被看護人保護情報を記憶する情報記憶部とを備え、
前記廊下灯は、前記複数の部屋により共用され、前記情報記憶部に記憶された前記被看護人保護情報を病床単位で分割表示する廊下灯表示部を備えることを特徴とするナースコールシステム。
【請求項４】
被看護人が医療・看護従事者を呼出して通話を成立させるナースコール子機と、前記ナースコール子機を用いた前記被看護人からの呼出しを報知する廊下灯と、前記ナースコール子機を用いた前記被看護人からの呼出しに医療・看護従事者が応答して通話を成立させるナースコール親機と、前記廊下灯及び前記ナースコール親機を制御する制御機とを有するナースコールシステムであって、
病床数に対応したイラスト、映像等の被看護人保護情報を生成する情報生成部と、前記情報生成部で生成された前記被看護人保護情報を記憶する情報記憶部とを備え、
前記廊下灯は、部屋毎に設置され、前記情報記憶部に記憶された前記被看護人保護情報を病床単位で分割表示する廊下灯表示部を備えることを特徴とするナースコールシステム。
【請求項５】
前記廊下灯は、前記ナースコール子機を用いた前記被看護人からの呼出しを検出した呼出時において呼出元の当該ナースコール子機が設置された病床に対応する前記廊下灯表示部には予め定められた呼出報知画面を表示させ、呼出元以外の当該ナースコール子機が設置された病床に対応する前記廊下灯表示部には前記被看護人保護情報を表示させる廊下灯ＣＰＵを備えることを特徴とする請求項３又は請求項４記載のナースコールシステム。
【請求項６】
前記ナースコール親機は、前記被看護人保護情報を前記被看護人のリスト及びフロア病床レイアウトのうち何れかに対応させて表示する親機表示部を備えることを特徴とする請求項１乃至請求項５のうち何れか１項記載のナースコールシステム。
【請求項７】
前記被看護人保護情報は、前記被看護人及び前記医療・看護従事者のうち何れかにより用意される当該情報であって、
前記被看護人及び前記医療・看護従事者のうち何れかにより用意される前記被看護人保護情報を読取るデータ読取部を備えることを特徴とする請求項１乃至請求項６のうち何れか１項記載のナースコールシステム。
【発明の詳細な説明】
【技術分野】
【０００１】
本発明は、病院等の医療・看護施設内に設置されるナースコールシステムに係り、特に、廊下灯が設置される当該施設の仕様や病床数に対応させて、イラスト、映像等の被看護人保護情報を当該廊下灯で表示することができるナースコールシステムに関する。
【背景技術】
【０００２】
従来から、病院等の医療・看護施設内において、被看護人をはじめとする個人情報の取り扱いやその保護対策が急務とされている。そこで、病室の廊下に設けられ、患者のプライバシーを必要に応じて保護できるプライバシー保護機能付き個別廊下灯が開示されている（例えば、特許文献１を参照）。
【０００３】
また、同様なプライバシー保護表示を行う廊下灯として、被看護人から医療・看護従事者への呼出しがない待受状態において例えば、動物等がキャラクター表示される廊下灯を有するナースコール装置が開示されている（例えば、特許文献２を参照）。
【先行技術文献】
【特許文献】
【０００４】
【特許文献１】特開２００４−９４７６４号公報
【特許文献２】特開２００４−１０４６９１号公報
【発明の概要】
【発明が解決しようとする課題】
【０００５】
しかしながら、特許文献１記載のプライバシー保護機能付き個別廊下灯によれば、プライバシー保護表示を行うにあたって、紙（室番紙）にグラフィック表示させていたため、その変更が容易でなかった。一方、特許文献２記載の廊下灯によれば、その設置態様が病室毎の廊下に限定されており、例えば、複数の病室で共用される態様のように、当該施設の仕様に対応させて廊下灯を設置した場合、キャラクター表示を病室（部屋）単位又は病床単位で行うことができなかった。
【０００６】
本発明は、これらの難点を解消するためになされたもので、被看護人からの呼出しを報知する廊下灯を施設内に設置する際の自由度を高め、その自由度に対応させた仕様でイラスト、映像等の被看護人保護情報を表示部に表示することで当該表示部の有効利用を図るとともに、被看護人保護情報の変更も容易なナースコールシステムを提供することを目的としている。
【課題を解決するための手段】
【０００７】
前述の目的を達成するため、本発明の第１の態様であるナースコールシステムは、被看護人が医療・看護従事者を呼出して通話を成立させるナースコール子機と、ナースコール子機を用いた被看護人からの呼出しを報知する廊下灯と、ナースコール子機を用いた被看護人からの呼出しに医療・看護従事者が応答して通話を成立させるナースコール親機と、廊下灯及びナースコール親機を制御する制御機とを有するシステムであって、部屋数に対応したイラスト、映像等の被看護人保護情報を生成する情報生成部と、情報生成部で生成された被看護人保護情報を記憶する情報記憶部とを備えている。廊下灯は、複数の部屋により共用され、情報記憶部に記憶された被看護人保護情報を部屋単位で分割表示する廊下灯表示部を備えている。
【０００８】
この態様のナースコールシステムによれば、被看護人のプライバシーを保護するために必要なイラスト、映像等の被看護人保護情報が、複数の部屋により共用される廊下灯の廊下灯表示部に部屋単位で分割表示されるため、例えば、ナースコール子機を用いた被看護人からの呼出しがない待受状態において、その被看護人のプライバシーを保護することができるばかりでなく、廊下灯表示部の有効利用が可能となる。
【０００９】
また、本発明の第２の態様であるナースコールシステムは、本発明の第１の態様において、廊下灯は、ナースコール子機を用いた被看護人からの呼出しを検出した呼出時において呼出元の当該ナースコール子機が設置された部屋に対応する廊下灯表示部には予め定められた呼出報知画面を表示させ、呼出元以外の当該ナースコール子機が設置された部屋に対応する廊下灯表示部には被看護人保護情報を表示させる廊下灯ＣＰＵを備えている。
【００１０】
この態様のナースコールシステムによれば、廊下灯の周囲近傍に居る医療・看護従事者は、その廊下灯の廊下灯表示部に部屋単位で分割表示される内容の相違をもとに、ナースコール子機を用いた呼出元の被看護人とそれ以外の待受状態である被看護人とを容易に判別でき、迅速な対応が可能となる。
【００１１】
また、本発明の第３の態様であるナースコールシステムは、被看護人が医療・看護従事者を呼出して通話を成立させるナースコール子機と、ナースコール子機を用いた被看護人からの呼出しを報知する廊下灯と、ナースコール子機を用いた被看護人からの呼出しに医療・看護従事者が応答して通話を成立させるナースコール親機と、廊下灯及びナースコール親機を制御する制御機とを有する当該システムであって、複数の部屋の病床数に対応したイラスト、映像等の被看護人保護情報を生成する情報生成部と、情報生成部で生成された被看護人保護情報を記憶する情報記憶部とを備えている。廊下灯は、複数の部屋により共用され、情報記憶部に記憶された被看護人保護情報を病床単位で分割表示する廊下灯表示部を備えている。
【００１２】
この態様のナースコールシステムによれば、被看護人のプライバシーを保護するために必要なイラスト、映像等の被看護人保護情報が、複数の部屋により共用される廊下灯の廊下灯表示部に病床単位で分割表示されるため、例えば、ナースコール子機を用いた被看護人からの呼出しがない待受状態において、その被看護人のプライバシーを保護することができるばかりでなく、廊下灯表示部の有効利用が可能となる。
【００１３】
また、本発明の第４の態様であるナースコールシステムは、被看護人が医療・看護従事者を呼出して通話を成立させるナースコール子機と、ナースコール子機を用いた被看護人からの呼出しを報知する廊下灯と、ナースコール子機を用いた被看護人からの呼出しに医療・看護従事者が応答して通話を成立させるナースコール親機と、廊下灯及びナースコール親機を制御する制御機とを有する当該システムであって、病床数に対応したイラスト、映像等の被看護人保護情報を生成する情報生成部と、情報生成部で生成された被看護人保護情報を記憶する情報記憶部とを備えている。廊下灯は、部屋毎に設置され、情報記憶部に記憶された被看護人保護情報を病床単位で分割表示する廊下灯表示部を備えている。
【００１４】
この態様のナースコールシステムによれば、被看護人のプライバシーを保護するために必要なイラスト、映像等の被看護人保護情報が、部屋毎に設置される廊下灯の廊下灯表示部に病床単位で分割表示されるため、例えば、ナースコール子機を用いた被看護人からの呼出しがない待受状態において、その被看護人のプライバシーを保護することができるばかりでなく、廊下灯表示部の有効利用が可能となる。
【００１５】
また、本発明の第５の態様であるナースコールシステムは、本発明の第３の態様又は第４の態様において、廊下灯は、ナースコール子機を用いた被看護人からの呼出しを検出した呼出時において呼出元の当該ナースコール子機が設置された病床に対応する廊下灯の廊下灯表示部には予め定められた呼出報知画面を表示させ、呼出元以外の当該ナースコール子機が設置された病床に対応する廊下灯表示部には被看護人保護情報を表示させる廊下灯ＣＰＵを備えている。
【００１６】
この態様のナースコールシステムによれば、廊下灯の周囲近傍に居る医療・看護従事者は、その廊下灯の廊下灯表示部に病床単位で分割表示される内容の相違をもとに、ナースコール子機を用いた呼出元の被看護人とそれ以外の待受状態である被看護人とを容易に判別でき、迅速な対応が可能となる。
【００１７】
また、本発明の第６の態様であるナースコールシステムは、本発明の第１の態様乃至第５の態様のうち何れか１の態様において、ナースコール親機は、被看護人保護情報を被看護人のリスト及びフロア病床レイアウトのうち何れかに対応させて表示する親機表示部を備えている。
【００１８】
この態様のナースコールシステムによれば、廊下灯の廊下灯表示部に部屋単位又は病床単位で分割表示される被看護人保護情報が被看護人のリスト及びフロア病床レイアウトのうち何れかに対応させてナースコール親機の親機表示部に表示されるため、スタッフステーション等の施設内共用部に在室中の医療・看護従事者は、例えば、ナースコール子機を用いた被看護人からの呼出時（呼出状態）において、その呼出しを被看護人保護情報とともに確認することができ、迅速な対応が可能となる。
【００１９】
また、本発明の第７の態様であるナースコールシステムは、本発明の第１の態様乃至第６の態様のうち何れか１の態様において、被看護人保護情報は、被看護人及び医療・看護従事者のうち何れかにより用意される当該情報であって、被看護人及び医療・看護従事者のうち何れかにより用意される被看護人保護情報を読取るデータ読取部を備えている。
【００２０】
この態様のナースコールシステムによれば、廊下灯の廊下灯表示部に部屋単位又は病床単位で分割表示される、或いはナースコール親機の親機表示部に被看護人のリスト及びフロア病床レイアウトのうち何れかに対応させて表示される被看護人保護情報は、被看護人及び医療・看護従事者のうち何れかが用意可能であるため、その変更が容易となる。
【発明の効果】
【００２１】
本発明のナースコールシステムによれば、病院等の医療・看護施設内の被看護人からの呼出しを報知する廊下灯の設置態様として、例えば、複数の部屋で共用される設置や部屋毎に設置されるように当該施設の仕様に対応させることができる。この廊下灯によれば、被看護人及び医療・看護従事者のうち何れかにより用意されその変更が容易で、当該被看護人のプライバシーを保護するために必要なイラスト、映像等の被看護人保護情報を部屋単位又は病床単位で分割表示させることができ、また、ナースコール子機を用いた被看護人からの呼出時（呼出状態）には、その表示を被看護人保護情報から予め定められた呼出報知画面に切換える一方、それ以外の待受状態である被看護人の当該被看護人保護情報の表示は保持することでプライバシー保護が可能となる。
【００２２】
したがって、被看護人からの呼出しを報知する廊下灯を施設内に設置する際の自由度が高められ、その自由度に対応させた仕様で、変更も容易なイラスト、映像等の被看護人保護情報を表示部に表示することで当該表示部の有効利用が図られる。
【図面の簡単な説明】
【００２３】
【図１】図１は、本発明の実施例によるナースコールシステムの全体構成を示すシステム説明図である。
【図２】図２（Ａ）は、本発明の実施例によるナースコールシステムにおいて廊下灯の具体的な構成を示すブロック図である。また、図２（Ｂ）は、同システムにおいてナースコール親機の具体的な構成を示すブロック図である。
【図３】図３は、本発明の実施例によるナースコールシステムにおいて制御機の情報記憶部に記憶される内容の一例を示すテーブル図である。
【図４】図４（Ａ）、（Ｂ）は、本発明の実施例によるナースコールシステムにおいてナースコール親機の親機表示部を構成する主表示部のリスト表示例及びフロア病床レイアウト表示例を示す画面構成図である。
【図５】図５は、本発明の実施例によるナースコールシステムが待受状態において廊下灯の廊下灯表示部に分割表示される被看護人保護情報の一例を示す画面構成図である。
【図６】図６（Ａ）は、本発明の実施例によるナースコールシステムの第１の呼出動作時においてナースコール親機の親機表示部を構成する主表示部のリスト表示（呼出表示）例及びフロア病床レイアウト表示（呼出表示）例を示す画面構成図である。また、図６（Ｂ）は、同システムの第１の呼出動作時において廊下灯の廊下灯表示部に分割表示される呼出報知画面及び被看護人保護情報の一例を示す画面構成図である。
【図７】図７（Ａ）は、本発明の実施例によるナースコールシステムの第２の呼出動作時においてナースコール親機の親機表示部を構成する主表示部のリスト表示（呼出表示）例及びフロア病床レイアウト表示（呼出表示）例を示す画面構成図である。また、図７（Ｂ）は、同システムの第２の呼出動作時において廊下灯の廊下灯表示部に分割表示される呼出報知画面及び被看護人保護情報の一例を示す画面構成図である。
【図８】図８（Ａ）は、本発明の実施例によるナースコールシステムの第３の呼出動作時においてナースコール親機の親機表示部を構成する主表示部のリスト表示（呼出表示）例及びフロア病床レイアウト表示（呼出表示）例を示す画面構成図である。また、図８（Ｂ）は、同システムの第３の呼出動作時において廊下灯の廊下灯表示部に分割表示される呼出報知画面及び被看護人保護情報の一例を示す画面構成図である。
【発明を実施するための形態】
【００２４】
以下、本発明のナースコールシステムを適用した実施の形態例について、図面を参照して説明する。
【００２５】
図１は、本発明の実施例によるナースコールシステムの全体構成を示すシステム説明図である。このナースコールシステムは、病院等の医療・看護施設内（以下、施設内という）に設置されるものであり、（複数台の）ナースコール子機１、（複数台の）廊下灯２、ナースコール親機３、サーバ４及び制御機５を有している。
【００２６】
（複数台の）ナースコール子機１はそれぞれ個別の子機ＩＤを有しており、施設内における例えば、２０１号室、２０２号室、２０３号室、２０４号室、２０５号室、・・・・のような複数の部屋（病室と同意）内の病床毎の被看護人（患者と同意）が、ナースコール親機３が設置されるスタッフステーション等の施設内共用部に在室中である例えば、医師や看護師又は看護助手等の医療・看護従事者に対し、通常呼出し、トイレ・風呂介助等の介助呼出し、点滴の終了を知らせる確認呼出し等、ナースコール呼出しに係る呼出種別毎で異なる呼出操作を行うとともに、この被看護人が医療・看護従事者との間で音声（音声データ）を送受信して通話を成立させるものである。また、ナースコール子機１によれば、前述のような被看護人によるナースコール呼出しのみならず、例えば、被看護人の病床近傍に居る医療・看護従事者が他の医療・看護従事者を呼出す、すなわち、スタッフ緊急呼出しのための呼出操作を行い、通話を成立させることもできる。
【００２７】
ここで、ナースコール子機１としては、前述のような呼出操作が行われる呼出操作機能を有する呼出握りボタン等のハンド子機１ａと、ハンド子機１ａが接続され前述のような通話を成立させる通話機能を有するプレート子機１ｂとで構成されるものである。また、ハンド子機１ａには、呼出操作機能のみならず前述のような通話機能を備えることもできる。さらに、プレート子機１ｂには、通話機能のみならず、前述のような被看護人からのナースコール呼出し又は医療・看護従事者からのスタッフ緊急呼出しを待受状態に復旧させる呼出復旧操作機能等を備えることもできる。
【００２８】
なお、ナースコール子機１は、部屋内の病床数に対応させて任意の台数を設けることができるものであって、その設置態様として本実施例によれば、２０１号室内、２０２号室内、２０３号室内がそれぞれ単床、２０４号室が２床、２０５号室が４床、・・・であるとして以下、説明する。
【００２９】
（複数台の）廊下灯２はそれぞれ個別の廊下灯ＩＤを有しており、前述のようなナースコール子機１の設置態様を適用するにあたって、複数の部屋、ここでは、２部屋である例えば、２０１号室及び２０２号室、２０３号室及び２０４号室によりそれぞれ共用され、２部屋の共用部である例えば、出入口近傍に設置される廊下灯２と、２０５号室、・・・のような部屋毎の出入口近傍に設置される廊下灯２、・・・とに分別される。また、廊下灯２は、ナースコール子機１を用いた被看護人からのナースコール呼出し又は医療・看護従事者からのスタッフ緊急呼出しを、呼出種別毎に異なるパターンで報知（呼出表示、呼出発報）するとともに、被看護人のプライバシーを保護するにあたって必要とされるイラスト、映像等の被看護人保護情報を後述する部屋単位又は病床単位で分割表示するものである。
【００３０】
ここで、２０１号室及び２０２号室により共用される廊下灯２には、部屋毎の子機ラインＬ1を経由して２０１号室内の単床に設置された（ナースコール子機１を構成する）プレート子機１ｂと、同様な子機ラインＬ1を経由して２０２号室内の単床に設置された（ナースコール子機１を構成する）プレート子機１ｂとが接続されている。
【００３１】
また、２０３号室及び２０４号室により共用される廊下灯２には、部屋毎の子機ラインＬ1を経由して２０３号室内の単床に設置された（ナースコール子機１を構成する）プレート子機１ｂと、同様な子機ラインＬ1を経由して２０４号室内の２床にそれぞれ設置された（ナースコール子機１を構成する）プレート子機１ｂとが接続されている。なお、２０３号室及び２０４号室により共用される廊下灯２と２０４号室内の２床にそれぞれ設置された（ナースコール子機１を構成する）プレート子機１ｂとの間の接続は、図示のような個別配線の態様に限定されるものでなく、渡り配線による接続（不図示）も好適とされる。
【００３２】
さらに、２０５号室（、・・・）のような部屋毎の廊下灯２には、子機ラインＬ1を経由して自部屋内の４床にそれぞれ設置された（ナースコール子機１を構成する）プレート子機１ｂが接続されている。なお、２０５号室（、・・・）のような部屋毎の廊下灯２と自部屋内の４床にそれぞれ設置された（ナースコール子機１を構成する）プレート子機１ｂとの間の接続は、図示のような個別配線の態様に限定されるものでなく、渡り配線による接続（不図示）も好適とされる。
【００３３】
ナースコール親機３は、前述のようなスタッフステーション等の施設内共用部に設置され、ナースコール子機１を用いた被看護人からのナースコール呼出し又は医療・看護従事者からのスタッフ緊急呼出しを、呼出種別毎に異なるパターンで報知（呼出表示、呼出発報）するとともに、これを確認した医療・看護従事者が被看護人又は他の医療・看護従事者との間で音声（音声データ）を送受信して通話を成立させるものである。
【００３４】
なお、ナースコール親機３の構成態様としては、図示のような電子情報出力型の当該親機に限定されず、例えば、ＰＣ（パーソナル・コンピュータ）型やボード型の当該親機も好適とされる。また、ナースコール親機３には、通常、ナースコール子機１を個別呼出し又は一斉呼出しする機能も備えられている。
【００３５】
サーバ４は、施設内のネットワークとして、被看護人の電子カルテ情報やオーダリング情報等の各種情報が管理されるものである。このサーバ４には、２０１号室及び２０２号室のように廊下灯２が共用で設置される２部屋の部屋数に対応した被看護人保護情報、２０３号室及び２０４号室のように廊下灯２が共用で設置され単床又は２床の病床数に対応した被看護人保護情報、２０５号室、・・・のように廊下灯２が部屋毎に設置される当該部屋内の病床数に対応した被看護人保護情報、をそれぞれ生成する情報生成部４０が備えられている。なお、前述の被看護人保護情報は、被看護人及び医療・看護従事者のうち何れかにより用意されるものであって、このサーバ４には、当該被看護人保護情報を読取る情報読取部４１が備えられている。
【００３６】
制御機５は、廊下灯ラインＬ2を経由して廊下灯２、親機ラインＬ3を経由してナースコール親機３、サーバラインＬ4を経由してサーバ４、をそれぞれ接続する中継器として例えば、施設内共用部に設置されており、これら接続された機器を制御するものであって、その制御機能を有する制御機ＣＰＵ５０と、サーバ４の情報生成部４０で生成された被看護人保護情報を記憶する例えば、ＥＥＰＲＯＭ、ＲＡＭ等の記憶媒体で構成される情報記憶部５１とが備えられている。なお、情報記憶部５１には図３のテーブル図に示すように、前述の子機ＩＤ及び廊下灯ＩＤに関連付けられる被看護人保護情報のみならず、被看護人の電子カルテ情報として例えば、当該被看護人の氏名及び年齢や診療科目、担当医、救護区分等の被看護人関連情報を記憶させることができる。
【００３７】
次に、廊下灯２の具体的な構成について図２（Ａ）のブロック図を参照して説明する。同図に示す廊下灯２には、廊下灯表示部２０、廊下灯通話部２１、廊下灯操作部２２、廊下灯ＣＰＵ２３、子機側廊下灯Ｉ／Ｆ２４及び制御機側廊下灯Ｉ／Ｆ２５が備えられている。
【００３８】
この廊下灯２において、廊下灯表示部２０は、制御機５の情報記憶部５１に記憶された被看護人保護情報について、その情報を部屋単位又は病床単位で分割表示する機能と、ナースコール子機１を用いた被看護人からのナースコール呼出しを検出したナースコール呼出時において呼出元に対応する予め定められた呼出報知画面を分割表示する機能とを有しており、例えば、ＬＣＤ、有機ＥＬディスプレイ等の各種の表示媒体で構成されている。なお、廊下灯表示部２０としては、例えば、ＬＥＤ等の発光体（符号なし）を適用することもできる。この発光体によれば、予め定められたパターンで点滅又は点灯させることで、ナースコール子機１を用いた被看護人からのナースコール呼出し又は医療・看護従事者からのスタッフ緊急呼出しを表示（呼出表示）することもできる。
【００３９】
廊下灯通話部２１は、廊下灯２の周囲近傍に居る医療・看護従事者、例えば、施設内を巡回中の医療・看護従事者がスタッフステーション内に在室中の医療・看護従事者との間で通話を成立させるための音声（音声データ）を送受信するものであって、例えば、廊下灯マイク（ＭＩＣ）２１ａ及び廊下灯スピーカ（ＳＰ）２１ｂを有している。また、廊下灯スピーカ２１ｂは、ナースコール子機１を用いた被看護人からのナースコール呼出し又は医療・看護従事者からのスタッフ緊急呼出しを発報する例えば、呼出音や音声メッセージ等を出力することができる。
【００４０】
廊下灯操作部２２は、ナースコール子機１を用いた被看護人からのナースコール呼出しがない待受状態において廊下灯表示部２０に分割表示させる情報を、前述の被看護人保護情報から被看護人関連情報に切換えるものであって、例えば、図１に示すような所定の操作ボタンで構成されている。なお、廊下灯操作部２２としては、廊下灯表示部２０の前面に設置されるタッチパネル（不図示）を適用することもできる。
【００４１】
廊下灯ＣＰＵ２３は、当該廊下灯の構成各部を制御するものである。また、子機側廊下灯Ｉ／Ｆ２４は、廊下灯ＣＰＵ２３及び子機ラインＬ1間の信号伝送路を形成するものである。さらに、制御機側廊下灯Ｉ／Ｆ２５は、廊下灯ＣＰＵ２３及び廊下灯ラインＬ2間の信号伝送路を形成するものである。
【００４２】
次に、ナースコール親機３の具体的な構成について図２（Ｂ）のブロック図を参照して説明する。同図に示すナースコール親機３には、親機表示部３０、親機通話部３１、親機操作部３２、親機ＣＰＵ３３及び親機Ｉ／Ｆ３４が備えられている。
【００４３】
このナースコール親機３において、親機表示部３０は、ナースコール子機１を用いた被看護人からのナースコール呼出し又は医療・看護従事者からのスタッフ緊急呼出しがあることを表示（呼出表示）するとともに、前述の被看護人保護情報を当該被看護人のリスト及びフロア病床レイアウトのうち何れかに対応させて表示するものであって、例えば、ＬＣＤ、有機ＥＬディスプレイ等の各種の表示媒体で構成されている。
【００４４】
親機通話部３１は、スタッフステーション等の施設内共用部に在室中の医療・看護従事者が被看護人又は他の医療・看護従事者との間で通話を成立させるための音声（音声データ）を送受信するものであり、例えば、親機マイク（ＭＩＣ）３１ａ及び親機スピーカ（ＳＰ）３１ｂを有している。また、親機スピーカ３１ｂは、前述のようなナースコール呼出し又はスタッフ緊急呼出しがあることを発報する例えば、呼出音や音声メッセージ等を出力することができる。なお、親機通話部３１としては、図示のようなハンドセットを適用することもできる。
【００４５】
親機操作部３２は、スタッフステーション等の施設内共用部に在室中の医療・看護従事者が被看護人からのナースコール呼出し又は他の医療・看護従事者からのスタッフ緊急呼出しに応答する操作（応答操作）機能を有しており、例えば、図１に示すような親機表示部３０の前面に設置されたタッチパネルで構成されている。
【００４６】
親機ＣＰＵ３３は、当該ナースコール親機の構成各部を制御するものである。また、親機Ｉ／Ｆ３４は、親機ＣＰＵ３３及び親機ラインＬ3間の信号伝送路を形成するものである。
【００４７】
このように構成された本発明の実施例によるナースコールシステムにおいて、以下、具体的な動作について説明する。
【００４８】
図１に示す当該システムが設置される施設内の医療・看護従事者によれば、サーバ４の情報生成部４０を用いて例えば、２０１号室、２０２号室、２０３号室、２０４号室、２０５号室、・・・のような複数の部屋内の病床毎の被看護人について、その被看護人のプライバシーを保護するために必要な被看護人保護情報を生成することができる。具体的には、サーバ４の情報読取部４１と例えば、不図示のスキャナやカメラを接続し、被看護人及び医療・看護従事者のうち何れかにより用意されスキャナで読込まれるイラストや、同様に用意されカメラで撮像された映像等を情報読取部４１で読取ることにより、情報生成部４０は、これら読取られたイラスト、映像等について所定の信号処理を行い生成した被看護人保護情報を、サーバラインＬ4を経由して制御機５に送出する。
【００４９】
制御機５の制御機ＣＰＵ５０は、受信した被看護人保護情報を、例えば、図３に示すように、前述の子機ＩＤ及び廊下灯ＩＤと被看護人関連情報にそれぞれ関連付けて情報記憶部５０に記憶することができる。また、制御機ＣＰＵ５０は、定期的なタイミング、例えば、サーバ４の情報生成部４０で被看護人保護情報が作成された最初のタイミングや、その被看護人保護情報が書換えられたタイミングで、情報記憶部５１の記憶内容を読出し、親機ラインＬ3、図２（Ｂ）に示すナースコール親機３の親機Ｉ／Ｆ３３を経由して親機ＣＰＵ３３に送出することができる。この親機ＣＰＵ３３は、親機表示部３０を制御し、ナースコール子機１を用いた被看護人からのナースコール呼出しがない待受状態において、その被看護人保護情報を図４（Ａ）、（Ｂ）の画面構成図に示すように、被看護人のリスト表示又は病床レイアウト表示に関連付けて表示させることができる。
【００５０】
なお、前述のような被看護人保護情報は、例えば、サーバ４や制御機５の出荷・納入時において予めインストールさせておくこともできる。
【００５１】
また、制御機５の制御機ＣＰＵ５０によれば、情報記憶部５１の記憶内容である被看護人保護情報について、２０１号室及び２０２号室で共用されている廊下灯２の廊下灯表示部２０に部屋単位で分割表示させるにあたり、該当する被看護人保護情報と廊下灯ＩＤ「２０１」及び「２０２」を関連付け、２０１号室内の単床に設置されたナースコール子機１が有する子機ＩＤ「１」、２０２号室内の単床に設置されたナースコール子機１が有する子機ＩＤ「２」にそれぞれ割当てることができる。なお、前述のような子機ＩＤ「１」、「２」及び廊下灯ＩＤ「２０１」、「２０２」が付加された被看護人保護情報は、制御機ＣＰＵ５０から廊下灯ラインＬ2、図２（Ａ）に示す（全ての）廊下灯２の制御機側廊下灯Ｉ／Ｆ２５を経由して廊下灯ＣＰＵ２３にそれぞれ伝送される。
【００５２】
（全ての）廊下灯２の廊下灯ＣＰＵ２３はそれぞれ、受信した被看護人保護情報に付加されている廊下灯ＩＤ「２０１」及び「２０２」と自廊下灯が有する廊下灯ＩＤとを照合する。ここでは、２０１号室及び２０２号室で共用されている廊下灯２の廊下灯ＣＰＵ２３のみ廊下灯ＩＤが「２０１」又は「２０２」で一致するため、この廊下灯ＣＰＵ２３は、２０１号室内の単床に設置されたナースコール子機１が有する子機ＩＤ「１」、２０２号室内の単床に設置されたナースコール子機１が有する子機ＩＤ「２」にそれぞれ割当てて図５の画面構成図に示すような被看護人保護情報を廊下灯表示部２０に部屋単位で分割表示させることができる。このように部屋単位で分割表示された被看護人保護情報は、２０１号室内及び２０２号室内の被看護人によるナースコール子機１を用いた呼出しがない待受状態において待受表示となるため、該当する被看護人のプライバシーが保護される。
【００５３】
また、制御機５の制御機ＣＰＵ５０によれば、情報記憶部５１の記憶内容である被看護人保護情報について、２０３号室及び２０４号室で共用されている廊下灯２の廊下灯表示部２０に部屋単位及び病床単位で分割表示させるにあたり、該当する被看護人保護情報と廊下灯ＩＤ「２０３」及び「２０４」を関連付け、２０３号室内の単床に設置されたナースコール子機１が有する子機ＩＤ「１」、２０４号室内の２床に設置されたナースコール子機１が有する子機ＩＤ「２」、「３」にそれぞれ割当てることができる。なお、前述のような子機ＩＤ「１」、「２」、「３」及び廊下灯ＩＤ「２０３」、「２０４」が付加された被看護人保護情報は、制御機ＣＰＵ５０から廊下灯ラインＬ2、図２（Ａ）に示す（全ての）廊下灯２の制御機側廊下灯Ｉ／Ｆ２５を経由して廊下灯ＣＰＵ２３にそれぞれ伝送される。
【００５４】
（全ての）廊下灯２の廊下灯ＣＰＵ２３はそれぞれ、受信した被看護人保護情報に付加されている廊下灯ＩＤ「２０３」及び「２０４」と自廊下灯が有する廊下灯ＩＤとを照合する。ここでは、２０３号室及び２０４号室で共用されている廊下灯２の廊下灯ＣＰＵ２３のみ廊下灯ＩＤが「２０３」又は「２０４」で一致するため、この廊下灯ＣＰＵ２３は、２０３号室内の単床に設置されたナースコール子機１が有する子機ＩＤ「１」、２０４号室内の２床に設置されたナースコール子機１が有する子機ＩＤ「２」、「３」にそれぞれ割当てて図５に示すような被看護人保護情報を廊下灯表示部２０に部屋単位及び病床単位で分割表示させることができる。このように部屋単位及び病床単位で分割表示された被看護人保護情報は、２０３号室内及び２０４号室内の被看護人によるナースコール子機１を用いた呼出しがない待受状態において待受表示となるため、該当する被看護人のプライバシーが保護される。
【００５５】
さらに、制御機５の制御機ＣＰＵ５０によれば、情報記憶部５１の記憶内容である被看護人保護情報について、２０５号室、・・・のような部屋毎に設置されている廊下灯２の廊下灯表示部２０に病床単位で分割表示させるにあたり（ここでは、２０５号室の場合についてのみ説明）、該当する被看護人保護情報と廊下灯ＩＤ「２０５」を関連付け、２０５号室内の４床に設置されたナースコール子機１が有する子機ＩＤ「１」、「２」、「３」、「４」にそれぞれ割当てることができる。なお、前述のような子機ＩＤ「１」、「２」、「３」、「４」及び廊下灯ＩＤ「２０５」が付加された被看護人保護情報は、制御機ＣＰＵ５０から廊下灯ラインＬ2、図２（Ａ）に示す（全ての）廊下灯２の制御機側廊下灯Ｉ／Ｆ２５を経由して廊下灯ＣＰＵ２３にそれぞれ伝送される。
【００５６】
（全ての）廊下灯２の廊下灯ＣＰＵ２３はそれぞれ、受信した被看護人保護情報に付加されている廊下灯ＩＤ「２０５」と自廊下灯が有する廊下灯ＩＤとを照合する。ここでは、２０５号室の出入口近傍に設置されている廊下灯２の廊下灯ＣＰＵ２３のみ廊下灯ＩＤが「２０５」で一致するため、この廊下灯ＣＰＵ２３は、２０５号室内の４床に設置されたナースコール子機１が有する子機ＩＤ「１」、「２」、「３」、「４」にそれぞれ割当てて図５に示すような被看護人保護情報を廊下灯表示部２０に病床単位で分割表示させることができる。このように病床単位で分割表示された被看護人保護情報は、２０５号室内の被看護人によるナースコール子機１を用いた呼出しがない待受状態において待受表示となるため、該当する被看護人のプライバシーが保護される。
【００５７】
なお、（全ての）廊下灯２の廊下灯表示部２０に待受表示されている被看護人保護情報は、その廊下灯２の周囲近傍に居る医療・看護従事者が廊下灯操作部２２を用いて予め定められた操作を行うことで、前述の被看護人関連情報の表示に切換えることもできる。
【００５８】
次に、図５に示すような被看護人保護情報が待受表示として廊下灯２の廊下灯表示部２０に部屋単位又は病床単位で分割表示されている待受状態において、第１の呼出動作として例えば、２０１号室内で子機ＩＤ「１」を有するナースコール子機１が病床に設置されている病床の被看護人が、スタッフステーション等の施設内共用部に在室中の医療・看護従事者を呼出すために、図１に示すナースコール子機１を構成するハンド子機１ａを用いて例えば、ナースコール呼出しのための呼出操作を行うと、この操作を検出したプレート子機１ｂは、自子機が有する子機ＩＤ「１」及びナースコール呼出しを示す呼出種別情報を付加したナースコール呼出信号を生成する。このナースコール呼出信号は、子機ラインＬ1、２０１号室及び２０２号室で共用されている図２（Ａ）に示す廊下灯２の子機側廊下灯Ｉ／Ｆ２４を経由して廊下灯ＣＰＵ２３に伝送される。
【００５９】
２０１号室及び２０２号室で共用されている廊下灯２において、廊下灯ＣＰＵ２３は、受信したナースコール呼出信号に付加されている子機ＩＤ「１」及び呼出種別情報をもとに、子機ＩＤ「１」を有するナースコール子機１が病床に設置されている被看護人からのナースコール呼出しがあることを検出し、自廊下灯が有する廊下灯ＩＤ「２０１」を付加した後、制御機側廊下灯Ｉ／Ｆ２５、廊下灯ラインＬ2を経由して制御機５に送出する。
【００６０】
制御機５の制御機ＣＰＵ５０は、受信したナースコール呼出信号に付加されている子機ＩＤ「１」、廊下灯ＩＤ「２０１」及び呼出種別情報をもとに、２０１号室内でナースコール子機１が病床に設置されている被看護人からのナースコール呼出しがあることを検出する。この制御機ＣＰＵ５０は、検出されたナースコール呼出しをナースコール親機３で報知するための信号として、子機ＩＤ「１」、廊下灯ＩＤ「２０１」及び呼出種別情報を付加した親機呼出報知信号を生成し、親機ラインＬ3、図２（Ｂ）に示すナースコール親機３の親機Ｉ／Ｆ３３を経由して親機ＣＰＵ３３に送出する。また、制御機ＣＰＵ５０は、検出されたナースコール呼出しを２０１号室及び２０２号室で共用されている廊下灯２で報知するための信号として、情報記憶部５１から読出した呼出元の被看護人関連情報に子機ＩＤ「１」、廊下灯ＩＤ「２０１」を付加した廊下灯呼出報知信号を生成し、廊下灯ラインＬ2、図２（Ａ）に示す（全ての）廊下灯２の制御機側廊下灯Ｉ／Ｆ２５を経由して廊下灯ＣＰＵ２３にそれぞれ送出する。
【００６１】
ナースコール親機３の親機ＣＰＵ３３は、受信した親機呼出報知信号に付加されている子機ＩＤ「１」、廊下灯ＩＤ「２０１」及び呼出種別情報をもとに、２０１号室内で子機ＩＤ「１」を有するナースコール子機１を用いた病床の被看護人からのナースコール呼出しがある旨の呼出音や音声メッセージ等を親機通話部３１の親機スピーカ３１ｂから出力させることができるばかりでなく、２０１号室内で子機ＩＤ「１」を有するナースコール子機１を用いた病床の被看護人に割当てられて親機表示部３０に表示されている当該被看護人のリスト又は病床レイアウトを用いて、図６（Ａ）の画面構成図に示すような呼出表示を行うことができる。なお、スタッフステーション内に在室中の医療・看護従事者によれば、前述のナースコール呼出しを確認して所定の応答操作を行うことで、呼出元である２０１号室内で子機ＩＤ「１」を有するナースコール子機１が病床に設置されている被看護人との間で音声データを送受信して通話を成立させることができる。
【００６２】
また、（全ての）廊下灯２の廊下灯ＣＰＵ２３はそれぞれ、受信した廊下灯呼出報知信号に付加されている廊下灯ＩＤ「２０１」と自廊下灯が有する廊下灯ＩＤとを照合する。ここでは、２０１号室及び２０２号室で共用されている廊下灯２の廊下灯ＣＰＵ２３のみ廊下灯ＩＤが「２０１」で一致するため、この廊下灯ＣＰＵ２３は、２０１号室内で子機ＩＤ「１」を有するナースコール子機１を用いた病床の被看護人からのナースコール呼出しがある旨の呼出音や音声メッセージ等を廊下灯通話部２１の廊下灯スピーカ２１ｂから出力させることができるばかりでなく、呼出元である２０１号室内の単床に設置されたナースコール子機１が有する子機ＩＤ「１」に割当てられて廊下灯表示部２０に分割表示されている被看護人保護情報を、図６（Ｂ）の画面構成図に示すような予め定められた呼出報知画面、例えば、前述の被看護人関連情報に基づく当該呼出報知画面に切換えることができる一方、２０２号室内に設置された子機ＩＤ「２」を有するナースコール子機１に割当てられて廊下灯表示部２０に部屋単位で分割表示されている被看護人保護情報は、その表示（待受表示）を保持することができるため、待受状態である被看護人のプライバシー保護が可能となる。
【００６３】
なお、２０１号室及び２０２号室で共用されている廊下灯２の廊下灯ＣＰＵ２３によれば、廊下灯表示部２０を用いて前述の呼出報知画面を表示させるにあたっては、全画面表示を行うこともできる。
【００６４】
さらに、２０３号室及び２０４号室で共用されている廊下灯２の廊下灯ＣＰＵ２３や２０５号室、・・・のような部屋毎で設置されている廊下灯２の廊下灯ＣＰＵ２３はそれぞれ、受信した廊下灯呼出報知信号に付加されている廊下灯ＩＤ「２０１」と自廊下灯が有する廊下灯ＩＤとが不一致であるため、図６（Ｂ）に示すように部屋単位又は病床単位で廊下灯表示部２０に分割表示させている被看護人保護情報について、その表示（待受表示）を保持することができ、待受状態である被看護人のプライバシー保護が可能となる。
【００６５】
前述までの説明から明らかなように、第１の呼出動作によれば、制御機５の情報記憶部５１の記憶内容である被看護人保護情報を、複数の部屋により共用される廊下灯２の廊下灯表示部２０に部屋単位で分割表示することができるばかりでなく、ナースコール子機１を用いた被看護人からのナースコール呼出しを検出した呼出（ナースコール呼出）時において呼出元の当該ナースコール子機が設置された部屋に対応する廊下灯表示部２０には予め定められた呼出報知画面が表示される一方、呼出元以外の当該ナースコール子機が設置された部屋に対応する廊下灯表示部２０には被看護人保護情報の表示（待受表示）を保持させることができるため、待受状態である被看護人のプライバシー保護が可能となる。
【００６６】
次に、第２の呼出動作として例えば、２０４号室内で子機ＩＤ「２」を有するナースコール子機１が病床に設置されている被看護人が、スタッフステーション等の施設内共用部に在室中の医療・看護従事者を呼出すために、図１に示すナースコール子機１を構成するハンド子機１ａを用いて例えば、ナースコール呼出しのための操作を行うと、この操作を検出したプレート子機１ｂは、自子機が有する子機ＩＤ「２」及びナースコール呼出しを示す呼出種別情報を付加したナースコール呼出信号を生成する。このナースコール呼出信号は、子機ラインＬ1、２０３号室及び２０４号室で共用されている図２（Ａ）に示す廊下灯２の子機側廊下灯Ｉ／Ｆ２４を経由して廊下灯ＣＰＵ２３に伝送される。
【００６７】
２０３号室及び２０４号室で共用されている廊下灯２において、廊下灯ＣＰＵ２３は、受信したナースコール呼出信号に付加されている子機ＩＤ「２」及び呼出種別情報をもとに、子機ＩＤ「２」を有するナースコール子機１が病床に設置されている被看護人からのナースコール呼出しがあることを検出し、自廊下灯が有する廊下灯ＩＤ「２０４」を付加した後、制御機側廊下灯Ｉ／Ｆ２５、廊下灯ラインＬ2を経由して制御機５に送出する。
【００６８】
制御機５の制御機ＣＰＵ５０は、受信したナースコール呼出信号に付加されている子機ＩＤ「２」、廊下灯ＩＤ「２０４」及び呼出種別情報をもとに、２０４号室内で子機ＩＤ「２」を有するナースコール子機１が病床に設置されている被看護人からのナースコール呼出しがあることを検出する。この制御機ＣＰＵ５０は、検出されたナースコール呼出しをナースコール親機３で報知するための信号として、子機ＩＤ「２」、廊下灯ＩＤ「２０４」及び呼出種別情報を付加した親機呼出報知信号を生成し、親機ラインＬ3、図２（Ｂ）に示すナースコール親機３の親機Ｉ／Ｆ３３を経由して親機ＣＰＵ３３に送出する。また、制御機ＣＰＵ５０は、検出されたナースコール呼出しを２０３号室及び２０４号室で共用されている廊下灯２で報知するための信号として、情報記憶部５１から読出した呼出元の被看護人関連情報に子機ＩＤ「２」、廊下灯ＩＤ「２０４」を付加した廊下灯呼出報知信号を生成し、廊下灯ラインＬ2、図２（Ａ）に示す（全ての）廊下灯２の制御機側廊下灯Ｉ／Ｆ２５を経由して廊下灯ＣＰＵ２３にそれぞれ送出する。
【００６９】
ナースコール親機３の親機ＣＰＵ３３は、受信した親機呼出報知信号に付加されている子機ＩＤ「２」、廊下灯ＩＤ「２０４」及び呼出種別情報をもとに、２０４号室内で子機ＩＤ「２」を有するナースコール子機１を用いた病床の被看護人からのナースコール呼出しがある旨の呼出音や音声メッセージ等を親機通話部３１の親機スピーカ３１ｂから出力させることができるばかりでなく、２０４号室内で子機ＩＤ「２」を有するナースコール子機１を用いた病床の被看護人に割当てられて親機表示部３０に表示されている当該被看護人のリスト又は病床レイアウトを用いて、図７（Ａ）の画面構成図に示すような呼出表示を行うことができる。なお、スタッフステーション内に在室中の医療・看護従事者によれば、前述のナースコール呼出しを確認して所定の応答操作を行うことで、呼出元である２０４号室内で子機ＩＤ「２」を有するナースコール子機１が病床に設置されている被看護人との間で音声データを送受信して通話を成立させることができる。
【００７０】
また、（全ての）廊下灯２の廊下灯ＣＰＵ２３はそれぞれ、受信した廊下灯呼出報知信号に付加されている廊下灯ＩＤ「２０４」と自廊下灯が有する廊下灯ＩＤとを照合する。ここでは、２０３号室及び２０４号室で共用されている廊下灯２の廊下灯ＣＰＵ２３のみ廊下灯ＩＤが「２０４」で一致するため、この廊下灯ＣＰＵ２３は、２０４号室内で子機ＩＤ「２」を有するナースコール子機１を用いた病床の被看護人からのナースコール呼出しがある旨の呼出音や音声メッセージ等を廊下灯通話部２１の廊下灯スピーカ２１ｂから出力させることができるばかりでなく、呼出元である２０４号室内に設置された子機ＩＤ「２」を有するナースコール子機１に割当てられて廊下灯表示部２０に分割表示されている被看護人保護情報を、図７（Ｂ）の画面構成図に示すような予め定められた呼出報知画面、例えば、前述の被看護人関連情報に基づく当該呼出報知画面に切換えることができる一方、２０３号室内の単床に設置された子機ＩＤ「１」を有するナースコール子機１と、２０４号室内の２床に設置されたナースコール子機１のうち子機ＩＤ「３」を有するナースコール子機１に割当てられて廊下灯表示部２０に部屋単位及び病床単位で分割表示されている被看護人保護情報は、その表示（待受表示）を保持することができるため、待受状態である被看護人のプライバシー保護が可能となる。
【００７１】
なお、２０３号室及び２０４号室で共用されている廊下灯２の廊下灯ＣＰＵ２３によれば、廊下灯表示部２０を用いて前述の呼出報知画面を表示させるにあたっては、全画面表示を行うこともできる。
【００７２】
さらに、２０１号室及び２０２号室で共用されている廊下灯２の廊下灯ＣＰＵ２３や２０５号室、・・・のような部屋毎で設置されている廊下灯２の廊下灯ＣＰＵ２３は、受信した廊下灯呼出報知信号に付加されている廊下灯ＩＤ「２０４」と自廊下灯が有する廊下灯ＩＤとが不一致であるため、図７（Ｂ）に示すように部屋単位又は病床単位で廊下灯表示部２０に分割表示させている被看護人保護情報について、その表示（待受表示）を保持することができ、待受状態である被看護人のプライバシー保護が可能となる。
【００７３】
前述までの説明から明らかなように、第２の呼出動作によれば、制御機５の情報記憶部５１の記憶内容である被看護人保護情報を、複数の部屋により共用される廊下灯２の廊下灯表示部２０に部屋単位及び病床単位で分割表示することができるばかりでなく、ナースコール子機１を用いた被看護人からのナースコール呼出しを検出した呼出（ナースコール呼出）時において呼出元の当該ナースコール子機が設置された部屋及び病床に対応する廊下灯表示部２０には予め定められた呼出報知画面が表示される一方、呼出元以外の当該ナースコール子機が設置された部屋及び病床に対応する廊下灯表示部２０には被看護人保護情報の表示（待受表示）を保持させることができるため、待受状態である被看護人のプライバシー保護が可能となる。
【００７４】
次に、第３の呼出動作として例えば、２０５号室内で子機ＩＤ「４」を有するナースコール子機１が病床に設置されている被看護人が、スタッフステーション等の施設内共用部に在室中の医療・看護従事者を呼出すために、図１に示すナースコール子機１を構成するハンド子機１ａを用いて例えば、ナースコール呼出しのための操作を行うと、この操作を検出したプレート子機１ｂは、自子機が有する子機ＩＤ「４」及びナースコール呼出しを示す呼出種別情報を付加したナースコール呼出信号を生成する。このナースコール呼出信号は、子機ラインＬ1、２０５号室の出入口近傍に設置された図２（Ａ）に示す廊下灯２の子機側廊下灯Ｉ／Ｆ２４を経由して廊下灯ＣＰＵ２３に伝送される。
【００７５】
２０５号室の出入口近傍に設置された廊下灯２において、廊下灯ＣＰＵ２３は、受信したナースコール呼出信号に付加されている子機ＩＤ「４」及び呼出種別情報をもとに、子機ＩＤ「４」を有するナースコール子機１が病床に設置されている被看護人からのナースコール呼出しがあることを検出し、自廊下灯が有する廊下灯ＩＤ「２０５」を付加した後、制御機側廊下灯Ｉ／Ｆ２５、廊下灯ラインＬ2を経由して制御機５に送出する。
【００７６】
制御機５の制御機ＣＰＵ５０は、受信したナースコール呼出信号に付加されている子機ＩＤ「４」、廊下灯ＩＤ「２０５」及び呼出種別情報をもとに、２０５号室内で子機ＩＤ「４」を有するナースコール子機１が病床に設置されている被看護人からのナースコール呼出しがあることを検出する。この制御機ＣＰＵ５０は、検出されたナースコール呼出しをナースコール親機３で報知するための信号として、子機ＩＤ「４」、廊下灯ＩＤ「２０５」及び呼出種別情報を付加した親機呼出報知信号を生成し、親機ラインＬ3、図２（Ｂ）に示すナースコール親機３の親機Ｉ／Ｆ３３を経由して親機ＣＰＵ３３に送出する。また、制御機ＣＰＵ５０は、検出されたナースコール呼出しを２０５号室の出入口近傍に設置された廊下灯２で報知するための信号として、情報記憶部５１から読出した呼出元の被看護人関連情報に子機ＩＤ「４」及び廊下灯ＩＤ「２０５」を付加した廊下灯呼出報知信号を生成し、廊下灯ラインＬ2、図２（Ａ）に示す（全ての）廊下灯２の制御機側廊下灯Ｉ／Ｆ２５を経由して廊下灯ＣＰＵ２３にそれぞれ送出する。
【００７７】
ナースコール親機３の親機ＣＰＵ３３は、受信した親機呼出報知信号に付加されている子機ＩＤ「４」、廊下灯ＩＤ「２０５」及び呼出種別情報をもとに、２０５号室内で子機ＩＤ「４」を有するナースコール子機１を用いた病床の被看護人からのナースコール呼出しがある旨の呼出音や音声メッセージ等を親機通話部３１の親機スピーカ３１ｂから出力させることができるばかりでなく、２０５号室内で子機ＩＤ「４」を有するナースコール子機１を用いた病床の被看護人に割当てられて親機表示部３０に表示されている当該被看護人のリスト又は病床レイアウトを用いて、図８（Ａ）の画面構成図に示すような呼出表示を行うことができる。なお、スタッフステーション内に在室中の医療・看護従事者によれば、前述のナースコール呼出しを確認して所定の応答操作を行うことで、呼出元である２０５号室内で子機ＩＤ「４」を有するナースコール子機１が病床に設置されている被看護人との間で音声データを送受信して通話を成立させることができる。
【００７８】
また、（全ての）廊下灯２の廊下灯ＣＰＵ２３はそれぞれ、受信した廊下灯呼出報知信号に付加されている廊下灯ＩＤ「２０５」と自廊下灯が有する廊下灯ＩＤとを照合する。ここでは、２０５号室の出入口近傍に設置された廊下灯２の廊下灯ＣＰＵ２３のみ廊下灯ＩＤが「２０５」で一致するため、この廊下灯ＣＰＵ２３は、２０５号室内の子機ＩＤ「４」を有するナースコール子機１を用いた病床の被看護人からのナースコール呼出しがある旨の呼出音や音声メッセージ等を廊下灯通話部２１の廊下灯スピーカ２１ｂから出力させることができるばかりでなく、呼出元である自部屋内のナースコール子機１が有する子機ＩＤ「４」に割当てられて廊下灯表示部２０に分割表示されている被看護人保護情報を、図８（Ｂ）の画面構成図に示すような予め定められた呼出報知画面、例えば、前述の被看護人関連情報に基づく当該呼出報知画面に切換えることができる一方、２０５号室内に設置された子機ＩＤ「１」、「２」、「３」を有するナースコール子機１にそれぞれ割当てられて廊下灯表示部２０に病床単位で分割表示されている被看護人保護情報は、その表示（待受表示）を保持することができるため、待受状態である被看護人のプライバシー保護が可能となる。
【００７９】
なお、２０５号室の出入口近傍に設置された廊下灯２の廊下灯ＣＰＵ２３によれば、廊下灯表示部２０を用いて前述の呼出報知画面を表示させるにあたっては、全画面表示を行うこともできる。
【００８０】
さらに、２０１号室及び２０２号室、２０３号室及び２０４号室でそれぞれ共用として設置されている、又は２０５号室を除く他部屋の出入口近傍に設置されている廊下灯２の廊下灯ＣＰＵ２３は、受信した廊下灯呼出報知信号に付加されている廊下灯ＩＤ「２０５」と自廊下灯が有する廊下灯ＩＤとが不一致であるため、図８（Ｂ）に示すように部屋単位又は病床単位で廊下灯表示部２０に分割表示させている被看護人保護情報について、その表示（待受表示）を保持することができ、待受状態である被看護人のプライバシー保護が可能となる。
【００８１】
前述までの説明から明らかなように、第３の呼出動作によれば、制御機５の情報記憶部５１の記憶内容である被看護人保護情報を、部屋毎に設置される廊下灯２の廊下灯表示部２０に病床単位で分割表示することができるばかりでなく、ナースコール子機１を用いた被看護人からのナースコール呼出しを検出した呼出（ナースコール呼出）時において呼出元の当該ナースコール子機が設置された病床に対応する廊下灯表示部２０には予め定められた呼出報知画面が表示される一方、呼出元以外の当該ナースコール子機が設置された病床に対応する廊下灯表示部２０には被看護人保護情報の表示（待受表示）を保持させることができるため、待受状態である被看護人のプライバシー保護が可能となる。
【００８２】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００８３】
具体的に本発明の実施例においては、複数の部屋により共用される廊下灯２として、２０１号室及び２０２号室、２０３号室及び２０４号室のように、２部屋で共用させたが、この態様に限定されるものではない。例えば、当該システムが設置される施設内の仕様に対応させて３部屋、４部屋、・・・のように、より複数の部屋で共用することもできるばかりでなく、同様な、より複数の部屋で共用するにあたって、その部屋数に対応して被看護人保護情報を病床単位で分割表示させることもできる。
【００８４】
また、本発明の実施例においては、被看護人及び医療・看護従事者のうち何れかにより用意される被看護人保護情報を読取る情報読取部４１をサーバ４に備えたが、この態様に限定されるものではない。例えば、情報読取部４１をナースコール親機３に備えてもよい。なお、サーバ４が有する情報生成部４０及び情報読取部４１は、制御機５に備えてもよく、制御機５が有する情報記憶部５１についても、ナースコール親機３又はサーバ４に備えることもできる。
【００８５】
また、本発明の実施例においては、ナースコール子機１を用いた被看護人からのナースコール呼出しに医療・看護従事者が応答して通話を成立させる機器としてナースコール親機３を適用したが、このナースコール親機３に限定されるものではない。例えば、施設内を巡回中の医療・看護従事者により携帯される例えば、ＰＨＳ、スマートフォン等の情報端末も適用し、この情報端末を制御機５で制御させることもできる。
【００８６】
さらに、本発明の実施例においては、廊下灯２、ナースコール親機３及びサーバ４を、個別のライン（廊下灯ライン、親機ライン、サーバライン）Ｌ2、Ｌ3、Ｌ4をそれぞれ経由して制御機５に接続させた構成を適用したが、この態様に限定されるものではない。例えば、廊下灯２、ナースコール親機３、サーバ４及び制御機５をそれぞれ、共通バスであるＬＡＮ配線に所定の信号分岐機能、例えば、ハブを経由して接続させた構成を適用することもできる。
【符号の説明】
【００８７】
１……（複数台の）ナースコール子機
２……（複数台の）廊下灯
２０……廊下灯表示部
２３……廊下灯ＣＰＵ
３……ナースコール親機
３０……親機表示部    
５……制御機
５０……情報記憶部
４０……情報生成部
４１……情報読取部
【図１】
2014124304.tif 000003
【図２】
2014124304.tif 000004
【図３】
2014124304.tif 000005
【図４】
2014124304.tif 000006
【図５】
2014124304.tif 000007
【図６】
2014124304.tif 000008
【図７】
2014124304.tif 000009
【図８】
2014124304.tif 000010